(57)【要約】      （修正有）【課題】蛇腹状になったシートでも素早く目的のシート部分を探すことができるメモ用シートを提供する。【解決手段】折り畳まれた状態で、折り目方向の一方部５では山折り目１よりも山折り目３の方が山が高く、他方部６では山折り目３よりも山折り目１の方が山が高い構造とする。【選択図】図１
2019059117.tif 000002
【特許請求の範囲】
【請求項１】
第１山折り目、第１谷折り目、第２山折り目、第２谷折り目と続き蛇腹状に成るメモ用シート又は折本であって、
折り畳まれた状態で、折り目方向の一方部では前記第１山折り目よりも前記第２山折り目の方が山が高く、他方部では前記第２山折り目よりも前記第１山折り目の方が山が高いことを特徴とする、
メモ用シート又は折本。
【請求項２】
前記折り畳まれた状態で、折り目方向の一方部では前記第２谷折り目よりも前記第１谷折り目の方が谷が深く、他方部では前記第１谷折り目よりも前記第２谷折り目の方が谷が深いことを更なる特徴とする、
請求項１に記載のメモ用シート又は折本。
【発明の詳細な説明】
【技術分野】
【０００１】
本発明は、メモ用シート又は折本に関する。
【背景技術】
【０００２】
メモ用シートにおいては、特許文献１の実施例のように複数枚の長方形シートを重ね一端部を綴じた状態で、表側のシートから順に徐々にシートが長くなり他端部にできる第１傾斜面と、表側のシートから順に徐々にシートが短くなり他端部にできる第２傾斜面を備え、綴られたシート全体を湾曲させて他端部に傾斜面を作る動作をしなくても、シートを表側、裏側の両方向からめくり易いアイデアが知られている。
また類似のアイデアとして、特許文献２の実施例のようにシート他端部の切り欠きを徐々にずらして複数枚のシートを綴じるアイデアが知られている。
【０００３】
また、折本においては、帯状のシートを山折り、谷折りを繰り返し蛇腹状にしっかりと折り目をつけられ、端部が表紙に対して垂直に整ったものが一般的であり、折り畳まれた状態から帯状に伸ばすことでシートに書かれた文章や図柄などが現れる。
【先行技術文献】
【特許文献】
【０００４】
【特許文献１】特許第４１０９９１７号公報
【特許文献２】特開２００６−９５７５２号公報
【発明の概要】
【発明が解決しようとする課題】
【０００５】
従来の折本のように蛇腹状になったシートは折り目が硬く、２枚重ねで更に硬くなった部分を重ねた構造体を湾曲させるのは難しいので、表側からあるいは裏側から順に蛇腹をめくっていくには、指先で慎重に折り目を送るようにするのが現実的である。しかし、このようなめくり方では、素早く目的のシート部分を探すのは困難であり、だからといって蛇腹状のシートを帯状に伸ばして探すのは、電車内などの出先では困難である。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係るメモ用シート又は折本は、例えば図１から３の組み、図４及び５の組み、のいずれかの組みのように、
山折り目１、谷折り目４、山折り目３、谷折り目１０と続き蛇腹状に成るメモ用シート又は折本であって、
図１及び２又は４のように折り畳まれた状態で、折り目方向の一方部５では山折り目１よりも山折り目３の方が山が高く、他方部６では山折り目３よりも山折り目１の方が山が高いことを特徴とする、
メモ用シート又は折本である。
【０００８】
発明２に係るメモ用シート又は折本は、発明１のメモ用シート又は折本において、例えば図４及び５の組み、のように、
図４のように折り畳まれた状態で、折り目方向の一方部１５では谷折り目１０よりも谷折り目４の方が谷が深く、他方部１６では谷折り目４よりも谷折り目１０の方が谷が深いことを更なる特徴とする、
メモ用シート又は折本である。
【発明の効果】
【０００９】
以上のように本発明では、蛇腹状で折り畳まれた状態ではコンパクトにまとまり、伸ばされた状態ではシート全体を見渡せるという利便性を有しながら、伸ばすことが難しい電車内などで折り畳まれた状態から素早く目的のシート部分を探す為に、例えばコストをかけて形状が異なる複数のシートを使う、あるいはシート面が使いにくく不細工になるのを我慢して端部を切り欠くようなことをしなくても、山折り目１及び３によって一方部５及び他方部６にそれぞれできる傾斜面を利用して、表側及び裏側から蛇腹の正面側を楽にめくることができるような設計が容易となる。
【００１０】
また発明２では、本発明の効果に加えて、谷折り目４及び１０によって一方部１５及び他方部１６にそれぞれできる傾斜面を利用して、表側及び裏側から蛇腹の逆面側も楽にめくることができるような設計が容易となる。
【図面の簡単な説明】
【００１１】
【図１】第１実施形態の折り畳まれた状態を表側から見た図
【図２】第１実施形態の折り畳まれた状態を裏側から見た図
【図３】第１実施形態の伸ばされた状態で蛇腹の正面側を見た図
【図４】第２実施形態の折り畳まれた状態を表側から見た図
【図５】第２実施形態の伸ばされた状態で蛇腹の正面側を見た図
【図６】第２実施形態の追加工案
【発明を実施するための形態】
【００１２】
本発明の第１実施形態を図１から３に基づいて説明する。
【００１３】
図３は樹脂製又は紙製シートが伸ばされた状態であり、蛇腹の正面側を見ていることになる。表側面８から順に谷折り目２、山折り目１、谷折り目４、山折り目３、谷折り目１０、山折り目９、裏側面１１と続き、それぞれの折り目は直線状で折り跡がついているが、例えば折り跡が無く印刷などで折り位置が示されている、あるいはミシン目など折れやすいように加工されている、という製品状態でも良いだろう。またロール状などのより長い帯状で販売され、ユーザーが好みの長さで切り取って折り位置で折り畳んでも良いだろう。また、すべての折り目あるいは一部の折り目をミシン目などの手で切り易いものにしておけば、ユーザー好みで道具なしに素早く切り取ることが出来るので便利だろう。また図３の谷折り目２と山折り目１はテーパー角度３度で上方向にひらき、山折り目１と谷折り目４も３度で上方向にひらき、谷折り目４と山折り目３は１度で下方向にひらき、山折り目３と谷折り目１０も１度で下方向にひらき、谷折り目１０と山折り目９は５度で下方向にひらいている。
図３の伸ばされた状態のシートをそれぞれの山折り目、谷折り目をその通りに折ると図１及び２の折り畳まれた状態になる。この状態の一方部５では山折り目１、３、９が螺旋階段の一部のように重なり傾斜面を成し、山折り目１、３、９は中間部７で交差して他方部６でも螺旋階段の一部のように重なり傾斜面を成す。
また、折り畳まれた状態では中間部７にくぼみ１７ができるので、くぼみ７と谷折り目２、４、１０に輪ゴムやゴム紐などを巻き回しておけば、不意に図３のような伸ばされた状態になることを簡便に防止できるだろう。
【００１４】
本発明の第２実施形態を図４から６に基づいて説明する。
【００１５】
図５は樹脂製又は紙製の幅一定帯状シートが伸ばされた状態であり、蛇腹の正面側を見ていることになる。表側面８から順に谷折り目２、山折り目１、谷折り目４、山折り目３、谷折り目１０、山折り目９、裏側面１１と続き、それぞれの折り目は直線状で折り跡がついているが、例えば折り跡が無く印刷などで折り位置が示されている、あるいはミシン目など折れやすいように加工されている、という製品状態でも良いだろう。またロール状などのより長い帯状で販売され、ユーザーが好みの長さで切り取って折り位置で折り畳んでも良いだろう。また、すべての折り目あるいは一部の折り目をミシン目などの手で切り易いものにしておけば、ユーザー好みで道具なしに素早く切り取ることが出来るので便利だろう。また図５の谷折り目２と山折り目１はテーパー角度２度で下方向にひらき、山折り目１と谷折り目４は２度で上方向にひらき、谷折り目４と山折り目３は２度で下方向にひらき、山折り目３と谷折り目１０は２度で上方向にひらき、谷折り目１０と山折り目９は２度で下方向にひらいている。このように帯状シートの長さ方向に対して一定ピッチで山折り目と谷折り目の組みが繰り返されるので製造が比較的簡単であり、且つユーザーは気軽に好みの長さにある折り目で切り取れば良いのである。
図５の伸ばされた状態のシートをそれぞれの山折り目、谷折り目をその通りに折ると図４の折り畳まれた状態になる。この状態の一方部５では山折り目１、３、９が螺旋階段の一部のように重なり傾斜面を成し、山折り目１、３、９は中間部７で交差して他方部６でも螺旋階段の一部のように重なり傾斜面を成す。また一方部１５では谷折り目２、４、１０が螺旋階段の一部のように重なり傾斜面を成し、谷折り目２、４、１０は中間部１２で交差して他方部１６でも螺旋階段の一部のように重なり傾斜面を成す。
また、折り畳まれた状態では中間部７及び１２にそれぞれくぼみ１７及び１８ができるので、くぼみ１７及び１８に輪ゴムやゴム紐などを巻き回しておけば、不意に図５のような伸ばされた状態になることを簡便に防止できるだろう。また、くぼみ１３及び１４に輪ゴムやゴム紐などを巻き回しても同様の効果が得られるだろう。
図６は図４の折り畳まれた状態の上下端を切り落としたものであり、比較的簡単な加工であるが、本棚に入れるような場合に収まりが良くなる。
【符号の説明】
【００１６】
１,３,９.                            山折り目
２,４,１０.                        谷折り目
５,１５.                             一方部
６,１６.                             他方部
７,１２.                             中間部
８.                                      表側面
１１.                                  裏側面
１３,１４,１７,１８.       くぼみ
【図１】
2019059117.tif 000003
【図２】
2019059117.tif 000004
【図３】
2019059117.tif 000005
【図４】
2019059117.tif 000006
【図５】
2019059117.tif 000007
【図６】
2019059117.tif 000008
【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
第１山折り目、第１谷折り目、第２山折り目、第２谷折り目と続き蛇腹状に成るメモ用シート又は折本であって、
伸ばされた状態で、隣り合う前記折り目はテーパー角度を有し、
折り畳まれた状態で、折り目方向の一方部では前記第１山折り目よりも前記第２山折り目の方が山が高く、他方部では前記第２山折り目よりも前記第１山折り目の方が山が高いことを特徴とする、
メモ用シート又は折本。
【請求項２】
前記伸ばされた状態で、隣り合う前記折り目のテーパー角度のひらき方向が互い違いであることを更なる特徴とする、
請求項１に記載のメモ用シート又は折本。
【手続補正２】
【補正対象書類名】明細書
【補正対象項目名】全文
【補正方法】変更
【補正の内容】
【発明の詳細な説明】
【技術分野】
【０００１】
本発明は、メモ用シート又は折本に関する。
【背景技術】
【０００２】
メモ用シートにおいては、特許文献１の実施例のように複数枚の長方形シートを重ね一端部を綴じた状態で、表側のシートから順に徐々にシートが長くなり他端部にできる第１傾斜面と、表側のシートから順に徐々にシートが短くなり他端部にできる第２傾斜面を備え、綴られたシート全体を湾曲させて他端部に傾斜面を作る動作をしなくても、シートを表側、裏側の両方向からめくり易いアイデアが知られている。
また類似のアイデアとして、特許文献２の実施例のようにシート他端部の切り欠きを徐々にずらして複数枚のシートを綴じるアイデアが知られている。
【０００３】
また、折本においては、帯状のシートを山折り、谷折りを繰り返し蛇腹状にしっかりと折り目をつけられ、端部が表紙に対して垂直に整ったものが一般的であり、折り畳まれた状態から帯状に伸ばすことでシートに書かれた文章や図柄などが現れる。
【先行技術文献】
【特許文献】
【０００４】
【特許文献１】特許第４１０９９１７号公報
【特許文献２】特開２００６−９５７５２号公報
【発明の概要】
【発明が解決しようとする課題】
【０００５】
従来の折本のように蛇腹状になったシートは折り目が硬く、２枚重ねで更に硬くなった部分を重ねた構造体を湾曲させるのは難しいので、表側からあるいは裏側から順に蛇腹をめくっていくには、指先で慎重に折り目を送るようにするのが現実的である。しかし、このようなめくり方では、素早く目的のシート部分を探すのは困難であり、だからといって蛇腹状のシートを帯状に伸ばして探すのは、電車内などの出先では困難である。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係るメモ用シート又は折本は、例えば図１から３の組み、図４及び５の組み、のいずれかの組みのように、
山折り目１、谷折り目４、山折り目３、谷折り目１０と続き蛇腹状に成るメモ用シート又は折本であって、
図３のように伸ばされた状態で、隣り合う山折り目１及び谷折り目４、谷折り目４及び山折り目３、山折り目３及び谷折り目１０はそれぞれテーパー角度を有し、
図１及び２又は４のように折り畳まれた状態で、折り目方向の一方部５では山折り目１よりも山折り目３の方が山が高く、他方部６では山折り目３よりも山折り目１の方が山が高いことを特徴とする、
メモ用シート又は折本である。
【０００８】
発明２に係るメモ用シート又は折本は、発明１のメモ用シート又は折本において、例えば図４及び５の組み、のように、
図５のように伸ばされた状態で、隣り合う、山折り目１及び谷折り目４のテーパー角度及び谷折り目４及び山折り目３のテーパー角度、谷折り目４及び山折り目３のテーパー角度及び山折り目３及び谷折り目１０のテーパー角度、のひらき方向が互い違いであることを更なる特徴とする、
メモ用シート又は折本である。
【発明の効果】
【０００９】
以上のように本発明では、蛇腹状で折り畳まれた状態ではコンパクトにまとまり、伸ばされた状態ではシート全体を見渡せるという利便性を有しながら、伸ばすことが難しい電車内などで折り畳まれた状態から素早く目的のシート部分を探す為に、例えばコストをかけて形状が異なる複数のシートを使う、あるいはシート面が使いにくく不細工になるのを我慢して端部を切り欠くようなことをしなくても、山折り目１及び３によって一方部５及び他方部６にそれぞれできる傾斜面を利用して、表側及び裏側から蛇腹の正面側を楽にめくることができるような設計が容易となる。
【００１０】
また発明２では、本発明の効果に加えて、製造が比較的簡単であり、且つユーザーは気軽に好みの長さにある折り目で切り取れば良いというような設計が容易となる。
【図面の簡単な説明】
【００１１】
【図１】第１実施形態の折り畳まれた状態を表側から見た図
【図２】第１実施形態の折り畳まれた状態を裏側から見た図
【図３】第１実施形態の伸ばされた状態で蛇腹の正面側を見た図
【図４】第２実施形態の折り畳まれた状態を表側から見た図
【図５】第２実施形態の伸ばされた状態で蛇腹の正面側を見た図
【図６】第２実施形態の追加工案
【発明を実施するための形態】
【００１２】
本発明の第１実施形態を図１から３に基づいて説明する。
【００１３】
図３は樹脂製又は紙製シートが伸ばされた状態であり、蛇腹の正面側を見ていることになる。表側面８から順に谷折り目２、山折り目１、谷折り目４、山折り目３、谷折り目１０、山折り目９、裏側面１１と続き、それぞれの折り目は直線状で折り跡がついているが、例えば折り跡が無く印刷などで折り位置が示されている、あるいはミシン目など折れやすいように加工されている、という製品状態でも良いだろう。またロール状などのより長い帯状で販売され、ユーザーが好みの長さで切り取って折り位置で折り畳んでも良いだろう。また、すべての折り目あるいは一部の折り目をミシン目などの手で切り易いものにしておけば、ユーザー好みで道具なしに素早く切り取ることが出来るので便利だろう。また図３の谷折り目２と山折り目１はテーパー角度３度で上方向にひらき、山折り目１と谷折り目４も３度で上方向にひらき、谷折り目４と山折り目３は１度で下方向にひらき、山折り目３と谷折り目１０も１度で下方向にひらき、谷折り目１０と山折り目９は５度で下方向にひらいている。
図３の伸ばされた状態のシートをそれぞれの山折り目、谷折り目をその通りに折ると図１及び２の折り畳まれた状態になる。この状態の一方部５では山折り目１、３、９が螺旋階段の一部のように重なり傾斜面を成し、山折り目１、３、９は中間部７で交差して他方部６でも螺旋階段の一部のように重なり傾斜面を成す。
また、折り畳まれた状態では中間部７にくぼみ１７ができるので、くぼみ７と谷折り目２、４、１０に輪ゴムやゴム紐などを巻き回しておけば、不意に図３のような伸ばされた状態になることを簡便に防止できるだろう。
【００１４】
本発明の第２実施形態を図４から６に基づいて説明する。
【００１５】
図５は樹脂製又は紙製の幅一定帯状シートが伸ばされた状態であり、蛇腹の正面側を見ていることになる。表側面８から順に谷折り目２、山折り目１、谷折り目４、山折り目３、谷折り目１０、山折り目９、裏側面１１と続き、それぞれの折り目は直線状で折り跡がついているが、例えば折り跡が無く印刷などで折り位置が示されている、あるいはミシン目など折れやすいように加工されている、という製品状態でも良いだろう。またロール状などのより長い帯状で販売され、ユーザーが好みの長さで切り取って折り位置で折り畳んでも良いだろう。また、すべての折り目あるいは一部の折り目をミシン目などの手で切り易いものにしておけば、ユーザー好みで道具なしに素早く切り取ることが出来るので便利だろう。また図５の谷折り目２と山折り目１はテーパー角度２度で下方向にひらき、山折り目１と谷折り目４は２度で上方向にひらき、谷折り目４と山折り目３は２度で下方向にひらき、山折り目３と谷折り目１０は２度で上方向にひらき、谷折り目１０と山折り目９は２度で下方向にひらいている。このように帯状シートの長さ方向に対して一定ピッチで山折り目と谷折り目の組みが繰り返されるので製造が比較的簡単であり、且つユーザーは気軽に好みの長さにある折り目で切り取れば良いのである。
図５の伸ばされた状態のシートをそれぞれの山折り目、谷折り目をその通りに折ると図４の折り畳まれた状態になる。この状態の一方部５では山折り目１、３、９が螺旋階段の一部のように重なり傾斜面を成し、山折り目１、３、９は中間部７で交差して他方部６でも螺旋階段の一部のように重なり傾斜面を成す。また一方部１５では谷折り目２、４、１０が螺旋階段の一部のように重なり傾斜面を成し、谷折り目２、４、１０は中間部１２で交差して他方部１６でも螺旋階段の一部のように重なり傾斜面を成す。
また、折り畳まれた状態では中間部７及び１２にそれぞれくぼみ１７及び１８ができるので、くぼみ１７及び１８に輪ゴムやゴム紐などを巻き回しておけば、不意に図５のような伸ばされた状態になることを簡便に防止できるだろう。また、くぼみ１３及び１４に輪ゴムやゴム紐などを巻き回しても同様の効果が得られるだろう。
図６は図４の折り畳まれた状態の上下端を切り落としたものであり、比較的簡単な加工であるが、本棚に入れるような場合に収まりが良くなる。
【符号の説明】
【００１６】
１,３,９.                            山折り目
２,４,１０.                        谷折り目
５,１５.                             一方部
６,１６.                             他方部
７,１２.                             中間部
８.                                      表側面
１１.                                  裏側面
１３,１４,１７,１８.       くぼみ
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
第１山折り目、第１谷折り目、第２山折り目、第２谷折り目と続き蛇腹状に成るメモ用シート又は折本であって、
伸ばされた状態で、隣り合う前記折り目はテーパー角度を有し、隣り合う前記折り目のテーパー角度のひらき方向が互い違いであり、
折り畳まれた状態で、折り目方向の一方部では前記第１山折り目よりも前記第２山折り目の方が山が高く、他方部では前記第２山折り目よりも前記第１山折り目の方が山が高いことを特徴とする、
メモ用シート又は折本。
【手続補正２】
【補正対象書類名】明細書
【補正対象項目名】全文
【補正方法】変更
【補正の内容】
【発明の詳細な説明】
【技術分野】
【０００１】
本発明は、メモ用シート又は折本に関する。
【背景技術】
【０００２】
メモ用シートにおいては、特許文献１の実施例のように複数枚の長方形シートを重ね一端部を綴じた状態で、表側のシートから順に徐々にシートが長くなり他端部にできる第１傾斜面と、表側のシートから順に徐々にシートが短くなり他端部にできる第２傾斜面を備え、綴られたシート全体を湾曲させて他端部に傾斜面を作る動作をしなくても、シートを表側、裏側の両方向からめくり易いアイデアが知られている。
また類似のアイデアとして、特許文献２の実施例のようにシート他端部の切り欠きを徐々にずらして複数枚のシートを綴じるアイデアが知られている。
【０００３】
また、折本においては、帯状のシートを山折り、谷折りを繰り返し蛇腹状にしっかりと折り目をつけられ、端部が表紙に対して垂直に整ったものが一般的であり、折り畳まれた状態から帯状に伸ばすことでシートに書かれた文章や図柄などが現れる。
【先行技術文献】
【特許文献】
【０００４】
【特許文献１】特許第４１０９９１７号公報
【特許文献２】特開２００６−９５７５２号公報
【発明の概要】
【発明が解決しようとする課題】
【０００５】
従来の折本のように蛇腹状になったシートは折り目が硬く、２枚重ねで更に硬くなった部分を重ねた構造体を湾曲させるのは難しいので、表側からあるいは裏側から順に蛇腹をめくっていくには、指先で慎重に折り目を送るようにするのが現実的である。しかし、このようなめくり方では、素早く目的のシート部分を探すのは困難であり、だからといって蛇腹状のシートを帯状に伸ばして探すのは、電車内などの出先では困難である。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係るメモ用シート又は折本は、例えば図１及び２の組みのように、
山折り目１、谷折り目４、山折り目３、谷折り目１０と続き蛇腹状に成るメモ用シート又は折本であって、
図２のように伸ばされた状態で、隣り合う山折り目１及び谷折り目４、谷折り目４及び山折り目３、山折り目３及び谷折り目１０はそれぞれテーパー角度を有し、隣り合う、山折り目１及び谷折り目４のテーパー角度及び谷折り目４及び山折り目３のテーパー角度、谷折り目４及び山折り目３のテーパー角度及び山折り目３及び谷折り目１０のテーパー角度、のひらき方向が互い違いであり、
図１のように折り畳まれた状態で、折り目方向の一方部５では山折り目１よりも山折り目３の方が山が高く、他方部６では山折り目３よりも山折り目１の方が山が高いことを特徴とする、
メモ用シート又は折本である。
【発明の効果】
【０００８】
以上のように本発明では、蛇腹状で折り畳まれた状態ではコンパクトにまとまり、伸ばされた状態ではシート全体を見渡せるという利便性を有しながら、伸ばすことが難しい電車内などで折り畳まれた状態から素早く目的のシート部分を探す為に、例えばコストをかけて形状が異なる複数のシートを使う、あるいはシート面が使いにくく不細工になるのを我慢して端部を切り欠くようなことをしなくても、山折り目１及び３によって一方部５及び他方部６にそれぞれできる傾斜面を利用して、表側及び裏側から蛇腹の正面側を楽にめくることができるような設計が容易となるし、製造が比較的簡単であり、且つユーザーは気軽に好みの長さにある折り目で切り取れば良いというような設計が容易となる。
【図面の簡単な説明】
【０００９】
【図１】第１実施形態の折り畳まれた状態を表側から見た図
【図２】第１実施形態の伸ばされた状態で蛇腹の正面側を見た図
【図３】第１実施形態の追加工案
【発明を実施するための形態】
【００１０】
本発明の第１実施形態を図１から３に基づいて説明する。
【００１１】
図２は樹脂製又は紙製の幅一定帯状シートが伸ばされた状態であり、蛇腹の正面側を見ていることになる。表側面８から順に谷折り目２、山折り目１、谷折り目４、山折り目３、谷折り目１０、山折り目９、裏側面１１と続き、それぞれの折り目は直線状で折り跡がついているが、例えば折り跡が無く印刷などで折り位置が示されている、あるいはミシン目など折れやすいように加工されている、という製品状態でも良いだろう。またロール状などのより長い帯状で販売され、ユーザーが好みの長さで切り取って折り位置で折り畳んでも良いだろう。また、すべての折り目あるいは一部の折り目をミシン目などの手で切り易いものにしておけば、ユーザー好みで道具なしに素早く切り取ることが出来るので便利だろう。また図２の谷折り目２と山折り目１はテーパー角度２度で下方向にひらき、山折り目１と谷折り目４は２度で上方向にひらき、谷折り目４と山折り目３は２度で下方向にひらき、山折り目３と谷折り目１０は２度で上方向にひらき、谷折り目１０と山折り目９は２度で下方向にひらいている。このように帯状シートの長さ方向に対して一定ピッチで山折り目と谷折り目の組みが繰り返されるので製造が比較的簡単であり、且つユーザーは気軽に好みの長さにある折り目で切り取れば良いのである。
図２の伸ばされた状態のシートをそれぞれの山折り目、谷折り目をその通りに折ると図１の折り畳まれた状態になる。この状態の一方部５では山折り目１、３、９が螺旋階段の一部のように重なり傾斜面を成し、山折り目１、３、９は中間部７で交差して他方部６でも螺旋階段の一部のように重なり傾斜面を成す。また一方部１５では谷折り目２、４、１０が螺旋階段の一部のように重なり傾斜面を成し、谷折り目２、４、１０は中間部１２で交差して他方部１６でも螺旋階段の一部のように重なり傾斜面を成す。
また、折り畳まれた状態では中間部７及び１２にそれぞれくぼみ１７及び１８ができるので、くぼみ１７及び１８に輪ゴムやゴム紐などを巻き回しておけば、不意に図２のような伸ばされた状態になることを簡便に防止できるだろう。また、くぼみ１３及び１４に輪ゴムやゴム紐などを巻き回しても同様の効果が得られるだろう。
図３は図１の折り畳まれた状態の上下端を切り落としたものであり、比較的簡単な加工であるが、本棚に入れるような場合に収まりが良くなる。
【符号の説明】
【００１２】
１,３,９.                            山折り目
２,４,１０.                        谷折り目
５,１５.                             一方部
６,１６.                             他方部
７,１２.                             中間部
８.                                      表側面
１１.                                  裏側面
１３,１４,１７,１８.       くぼみ
【手続補正３】
【補正対象書類名】図面
【補正対象項目名】全図
【補正方法】変更
【補正の内容】
【図１】
2019059117.tif 000009
【図２】
2019059117.tif 000010
【図３】
2019059117.tif 000011
【手続補正書】
【提出日】平成30年10月13日(2018.10.13)
【手続補正１】
【補正対象書類名】特許請求の範囲
【補正対象項目名】全文
【補正方法】変更
【補正の内容】
【特許請求の範囲】
【請求項１】
第１山折り目、第１谷折り目、第２山折り目、第２谷折り目と続き蛇腹状に成るメモ用シート又は折本であって、
伸ばされた状態で、隣り合う前記折り目はテーパー角度を有し、隣り合う前記折り目のテーパー角度のひらき方向が互い違いであり、
折り畳まれた状態で、折り目方向の一方部では前記第１山折り目よりも前記第２山折り目の方が山が高いことを特徴とする、
メモ用シート又は折本。
【請求項２】
前記折り畳まれた状態で、折り目方向の他方部では前記第２山折り目よりも前記第１山折り目の方が山が高いことを更なる特徴とする、
請求項１に記載のメモ用シート又は折本。
【手続補正２】
【補正対象書類名】明細書
【補正対象項目名】全文
【補正方法】変更
【補正の内容】
【発明の詳細な説明】
【技術分野】
【０００１】
本発明は、メモ用シート又は折本に関する。
【背景技術】
【０００２】
メモ用シートにおいては、特許文献１の実施例のように複数枚の長方形シートを重ね一端部を綴じた状態で、表側のシートから順に徐々にシートが長くなり他端部にできる第１傾斜面と、表側のシートから順に徐々にシートが短くなり他端部にできる第２傾斜面を備え、綴られたシート全体を湾曲させて他端部に傾斜面を作る動作をしなくても、シートを表側、裏側の両方向からめくり易いアイデアが知られている。
また類似のアイデアとして、特許文献２の実施例のようにシート他端部の切り欠きを徐々にずらして複数枚のシートを綴じるアイデアが知られている。
【０００３】
また、折本においては、帯状のシートを山折り、谷折りを繰り返し蛇腹状にしっかりと折り目をつけられ、端部が表紙に対して垂直に整ったものが一般的であり、折り畳まれた状態から帯状に伸ばすことでシートに書かれた文章や図柄などが現れる。
【先行技術文献】
【特許文献】
【０００４】
【特許文献１】特許第４１０９９１７号公報
【特許文献２】特開２００６−９５７５２号公報
【発明の概要】
【発明が解決しようとする課題】
【０００５】
従来の折本のように蛇腹状になったシートは折り目が硬く、２枚重ねで更に硬くなった部分を重ねた構造体を湾曲させるのは難しいので、表側からあるいは裏側から順に蛇腹をめくっていくには、指先で慎重に折り目を送るようにするのが現実的である。しかし、このようなめくり方では、素早く目的のシート部分を探すのは困難であり、だからといって蛇腹状のシートを帯状に伸ばして探すのは、電車内などの出先では困難である。
【課題を解決するための手段】
【０００６】
本発明の実施形態図等を用いて以下に説明するが、これは本発明の内容をより把握しやすいようにする為で、添付の特許請求の範囲を縮小するものではない。
【０００７】
発明１に係るメモ用シート又は折本は、例えば図１及び２の組みのように、
山折り目１、谷折り目４、山折り目３、谷折り目１０と続き蛇腹状に成るメモ用シート又は折本であって、
図２のように伸ばされた状態で、隣り合う山折り目１及び谷折り目４、谷折り目４及び山折り目３、山折り目３及び谷折り目１０はそれぞれテーパー角度を有し、隣り合う、山折り目１及び谷折り目４のテーパー角度及び谷折り目４及び山折り目３のテーパー角度、谷折り目４及び山折り目３のテーパー角度及び山折り目３及び谷折り目１０のテーパー角度、のひらき方向が互い違いであり、
図１のように折り畳まれた状態で、折り目方向の一方部５では山折り目１よりも山折り目３の方が山が高いことを特徴とする、
メモ用シート又は折本である。
【０００８】
発明２に係るメモ用シート又は折本は、発明１のメモ用シート又は折本において、
例えば図１のように折り畳まれた状態で、折り目方向の他方部６では山折り目３よりも山折り目１の方が山が高いことを更なる特徴とする、
メモ用シート又は折本である。
【発明の効果】
【０００９】
以上のように本発明では、蛇腹状で折り畳まれた状態ではコンパクトにまとまり、伸ばされた状態ではシート全体を見渡せるという利便性を有しながら、伸ばすことが難しい電車内などで折り畳まれた状態から素早く目的のシート部分を探す為に、例えばコストをかけて形状が異なる複数のシートを使う、あるいはシート面が使いにくく不細工になるのを我慢して端部を切り欠くようなことをしなくても、山折り目１及び３によって一方部５にできる傾斜面を利用して、表側から蛇腹の正面側を楽にめくることができるような設計が容易となるし、製造が比較的簡単であり、且つユーザーは気軽に好みの長さにある折り目で切り取れば良いというような設計が容易となる。
【００１０】
また発明２では、本発明の効果に加えて、山折り目１及び３によって他方部６にできる傾斜面を利用して、裏側から蛇腹の正面側を楽にめくることができるような設計が容易となる。
【図面の簡単な説明】
【００１１】
【図１】第１実施形態の折り畳まれた状態を表側から見た図
【図２】第１実施形態の伸ばされた状態で蛇腹の正面側を見た図
【図３】第１実施形態の追加工案
【発明を実施するための形態】
【００１２】
本発明の第１実施形態を図１から３に基づいて説明する。
【００１３】
図２は樹脂製又は紙製の幅一定帯状シートが伸ばされた状態であり、蛇腹の正面側を見ていることになる。表側面８から順に谷折り目２、山折り目１、谷折り目４、山折り目３、谷折り目１０、山折り目９、裏側面１１と続き、それぞれの折り目は直線状で折り跡がついているが、例えば折り跡が無く印刷などで折り位置が示されている、あるいはミシン目など折れやすいように加工されている、という製品状態でも良いだろう。またロール状などのより長い帯状で販売され、ユーザーが好みの長さで切り取って折り位置で折り畳んでも良いだろう。また、すべての折り目あるいは一部の折り目をミシン目などの手で切り易いものにしておけば、ユーザー好みで道具なしに素早く切り取ることが出来るので便利だろう。また図２の谷折り目２と山折り目１はテーパー角度２度で下方向にひらき、山折り目１と谷折り目４は２度で上方向にひらき、谷折り目４と山折り目３は２度で下方向にひらき、山折り目３と谷折り目１０は２度で上方向にひらき、谷折り目１０と山折り目９は２度で下方向にひらいている。このように帯状シートの長さ方向に対して一定ピッチで山折り目と谷折り目の組みが繰り返されるので製造が比較的簡単であり、且つユーザーは気軽に好みの長さにある折り目で切り取れば良いのである。
図２の伸ばされた状態のシートをそれぞれの山折り目、谷折り目をその通りに折ると図１の折り畳まれた状態になる。この状態の一方部５では山折り目１、３、９が螺旋階段の一部のように重なり傾斜面を成し、山折り目１、３、９は中間部７で交差して他方部６でも螺旋階段の一部のように重なり傾斜面を成す。また一方部１５では谷折り目２、４、１０が螺旋階段の一部のように重なり傾斜面を成し、谷折り目２、４、１０は中間部１２で交差して他方部１６でも螺旋階段の一部のように重なり傾斜面を成す。
また、折り畳まれた状態では中間部７及び１２にそれぞれくぼみ１７及び１８ができるので、くぼみ１７及び１８に輪ゴムやゴム紐などを巻き回しておけば、不意に図２のような伸ばされた状態になることを簡便に防止できるだろう。また、くぼみ１３及び１４に輪ゴムやゴム紐などを巻き回しても同様の効果が得られるだろう。
図３は図１の折り畳まれた状態の上下端を切り落としたものであり、比較的簡単な加工であるが、本棚に入れるような場合に収まりが良くなる。
【符号の説明】
【００１４】
１,３,９.                            山折り目
２,４,１０.                        谷折り目
５,１５.                             一方部
６,１６.                             他方部
７,１２.                             中間部
８.                                      表側面
１１.                                  裏側面
１３,１４,１７,１８.       くぼみ